(57)【要約】【課題】  頭部固定装置においてヘッドピンで患者の頭部を簡易に固定する。【解決手段】  患者の頭部（Ａ）を囲むように湾曲し、複数本の雌ネジ（５）が上記頭部（Ａ）に向かって伸びるように設けられた支持部材（２）と、上記雌ネジ（５）に螺合する雄ネジ（３ａ）を有し、上記頭部（Ａ）に対して螺進退可能な複数本のヘッドピン（３）とを具備した頭部固定装置において、半径方向で拡縮しうるように周方向で複数個の分割片（６ａ，６ｂ，１２ａ，１２ｂ）に分割され、内周面に上記雌ネジ（５）が形成された筒体（６，１２）が、上記支持部材（２）に複数箇所にわたって取り付けられ、各筒体（６，１２）が弾性体（１０）により縮径方向に常時付勢される。【選択図】  図５
2005342335.tif 000002
【特許請求の範囲】
【請求項１】
患者の頭部を囲むように湾曲し、複数本の雌ネジが上記頭部に向かって伸びるように設けられた支持部材と、上記雌ネジに螺合する雄ネジを有し、上記頭部に対して螺進退可能な複数本のヘッドピンとを具備した頭部固定装置において、半径方向で拡縮しうるように周方向で複数個の分割片に分割され、内周面に上記雌ネジが形成された筒体が、上記支持部材に複数箇所にわたって取り付けられ、各筒体が弾性体により縮径方向に常時付勢されたことを特徴とする頭部固定装置。
【請求項２】
請求項１に記載の頭部固定装置において、上記分割片がヘッドピンの挿入口側に偏倚した箇所で支持部材にピンにより軸支され、ピンを支点に回動することにより拡縮するようにしたことを特徴とする頭部固定装置。
【請求項３】
請求項１に記載の頭部固定装置において、上記分割片に突起が設けられ、上記支持部材側に突起のガイド溝が設けられ、突起がガイド溝内をスライドすることにより上記筒体が拡縮するようにしたことを特徴とする頭部固定装置。
【発明の詳細な説明】
【技術分野】
【０００１】
本発明は、脳神経外科等において患者の頭部を検査、治療、手術等する際に頭部を固定するための装置に関する。
【背景技術】
【０００２】
従来、脳神経外科等で患者の頭部に対し検査、治療、手術等を行う場合、頭部固定装置により頭部を定位置に固定している。この頭部固定装置は、頭部を囲むように湾曲しベッド等に固定される支持部材と、支持部材に螺合し支持部材に囲まれた頭部に対し螺進退可能な複数本のヘッドピンとを具備する。患者の頭部を支持部材で囲むようにし、各ヘッドピンを捩じり操作して各ヘッドピンの先端を頭部に当てることにより頭部を所望の定位置に固定し、しかる後、この頭部に対し検査、治療、手術等を行う（例えば、特許文献１参照。）。
【０００３】
【特許文献１】特開昭６１−２５７６４０号公報
【発明の開示】
【発明が解決しようとする課題】
【０００４】
頭部固定装置のヘッドピンの雄ネジとこの雄ネジが螺合する支持部材の雌ネジは螺旋溝が長く、ピッチが小さいので、ヘッドピンの先端を頭部に当てる際にヘッドピンを回す回数が多くなる。このため、頭部固定装置による頭部の固定作業が煩雑になり、固定までに時間がかかるという問題がある。
【０００５】
したがって、本発明は患者の頭部の固定作業をより簡易化、迅速化することができる頭部固定装置を提供することを目的とする。
【課題を解決するための手段】
【０００６】
上記課題を解決するため、請求項１に係る発明は、患者の頭部（Ａ）を囲むように湾曲し、複数本の雌ネジ（５）が上記頭部（Ａ）に向かって伸びるように設けられた支持部材（２）と、上記雌ネジ（５）に螺合する雄ネジ（３ａ）を有し、上記頭部（Ａ）に対して螺進退可能な複数本のヘッドピン（３）とを具備した頭部固定装置において、半径方向で拡縮しうるように周方向で複数個の分割片（６ａ，６ｂ，１２ａ，１２ｂ）に分割され、内周面に上記雌ネジ（５）が形成された筒体（６，１２）が、上記支持部材（２）に複数箇所にわたって取り付けられ、各筒体（６，１２）が弾性体（１０）により縮径方向に常時付勢された頭部固定装置を採用する。
【０００７】
また、請求項２に係る発明は、請求項１に記載の頭部固定装置において、上記分割片（６ａ，６ｂ）がヘッドピン（３）の挿入口側に偏倚した箇所で支持部材（２）に枢軸（７）により軸支され、枢軸（７）を支点に回動することにより拡縮するようにした頭部固定装置を採用する。
【０００８】
また、請求項３に係る発明は、請求項１に記載の頭部固定装置において、上記分割片（１２ａ，１２ｂ）に突起（１３）が設けられ、上記支持部材（２）側に突起（１３）のガイド溝（１４）が設けられ、突起（１３）がガイド溝（１４）内をスライドすることにより上記筒体（１２）が拡縮するようにした頭部固定装置を採用する。
【発明の効果】
【０００９】
本発明によれば、ヘッドピン（３）を筒体（６，１２）内に挿入すると、雌雄ネジ（５，３ａ）のネジ山同士が当たることにより分割片（６ａ，６ｂ，１２ａ，１２ｂ）が半径方向の外側へと押しやられ筒体（６，１２）が拡径する。これにより、ヘッドピン（３）は回転操作によることなく雌ネジ（５）内を直進しその先端が頭部（Ａ）に当たったところで停止し、停止と同時に弾性体（１０）の付勢力により筒体（６，１２）が縮径して雌雄ネジ（５，３ａ）同士が噛み合う。続いてヘッドピン（３）を回すとヘッドピン（３）が頭部（Ａ）側に螺進し、ヘッドピン（３）の先端が頭部（Ａ）により強い力で接する。従って、頭部固定装置による頭部（Ａ）の固定作業を簡易かつ迅速に行うことができる。
【発明を実施するための最良の形態】
【００１０】
以下、図面を参照して発明を実施するための最良の形態について説明する。
【００１１】
＜実施の形態１＞
図１に示すように、患者が手術台のテーブル１上に仰臥し、患者の頭部Ａがテーブル１に取り付けられた頭部固定装置により定位置に固定される。
【００１２】
図２に示すように、頭部固定装置は、患者の頭部Ａを囲むように湾曲した支持部材２と、支持部材２に螺合し頭部Ａに接する複数本のヘッドピン３とを具備する。
【００１３】
各ヘッドピン３は、図３に示すように、ピン本体の中間部に雄ネジ３ａを有する。また、ピン本体の後端部にはヘッドピン３をその軸の回りに回すための摘み３ｂが設けられ、ピン本体の先端部には尖頭３ｃが軸回りに回転可能に取り付けられる。ヘッドピン３としては図示例以外の構造のものを使用することも可能である。
【００１４】
支持部材２は上半分が欠如した半円形、Ｕ字形等の形状に湾曲する。この湾曲した内側に患者の頭部Ａが受容される。支持部材２は、図１に示すように、複数箇所に関節を持った連結アーム４により手術台のテーブル１に連結され固定される。
【００１５】
支持部材２には、複数個の雌ネジが夫々上記頭部Ａに向かって伸びるように略放射状に設けられ、上記ヘッドピン３の雄ネジ３ａがこの雌ネジに螺合することによりヘッドピン３は支持部材２上で螺進退可能となり、ヘッドピン３の尖頭３ｃが患者の頭部Ａに対し接離可能となる。
【００１６】
支持部材２の雌ネジは、具体的には図４に示すように設けられる。すなわち、内周面に雌ネジ５が形成され周方向で複数個の分割片６ａ，６ｂに分割された筒体６が、各筒体６の半径方向で拡縮可能に上記支持部材２に複数個取り付けられる。
【００１７】
各筒体６は三個以上に分割することも可能であるが、望ましくは二個の分割片６ａ，６ｂに分割される。分割片６ａ，６ｂはヘッドピン３の挿入口側に偏倚した箇所で支持部材２に枢軸７により軸支され、枢軸７を支点に回動することにより拡縮するようになっている。
【００１８】
支持部材２には、筒体６を収納する収納室８が形成される。収納室８は、支持部材２の外周面と一端面とに開口し、内周面と他端面とが閉止部２ａ，２ｂにより閉じられる。筒体６の各分割片６ａ，６ｂは支持部材２の他端面の閉止部２ｂにおける外周面寄りの箇所に上記枢軸７を介して連結される。筒体６におけるヘッドピン３の挿入口は支持部材２の外周面における開口に合致するように配置される。また、支持部材２の内周面における閉止部２ａには、ヘッドピン３を案内するガイド孔９が形成される。
【００１９】
各筒体６は弾性体により縮径方向に常時付勢される。弾性体は具体的には圧縮コイルバネ１０であり、収納室８の内壁面と分割片６ａ，６ｂとの間に設けられる。圧縮コイルバネ１０の付勢力により、分割片６ａ，６ｂは枢軸７を支点にして相互に接近し雌ネジ５の径を縮めようとする。これにより、ヘッドピン３が筒体６内にその挿入孔から挿入されると、雌雄ネジ５，３ａのネジ山同士が当たることにより分割片６ａ，６ｂが圧縮コイルバネ１０の付勢力に抗して拡径し、ヘッドピン３の挿入が停止されたところで分割片６ａ，６ｂが圧縮コイルバネ１０により付勢されて雌雄ネジ５，３ａ同士が噛み合う。
【００２０】
上記支持部材２の一端面の開口は、蓋板１１により閉じられる。蓋板１１は上記枢軸７を構成するボルトにより支持部材２に固定される。この蓋板１１により支持部材２の収納室８が隠蔽される。
【００２１】
次に、上記構成の頭部固定装置の作用について説明する。
【００２２】
図１及び図２に示すように、患者の頭部Ａを支持部材２の湾曲内に入れる。
【００２３】
当初支持部材２内の各筒体６は、図５（Ａ）に示すように、圧縮コイルバネ１０の付勢力により先が窄んでいる。
【００２４】
そこで、図５（Ｂ）に示すように、各ヘッドピン３を支持部材２の外周面側から各筒体６内に挿入すると、雌雄ネジ５，３ａのネジ山同士が当たることにより分割片６ａ，６ｂが半径方向の外側へと押しやられ筒体６が拡径する。これにより、ヘッドピン３は回転操作によることなく雌ネジ５内を直進しその先端が患者の頭部Ａに当たったところで停止し、停止と同時に弾性体である圧縮コイルバネ１０の付勢力により筒体６が縮径して雌雄ネジ５，３ａ同士が噛み合う。
【００２５】
続いて、図５（Ｃ）に示すように、各ヘッドピン３を摘み３ｂを持って回すと各ヘッドピン３が患者の頭部Ａ側へと螺進し、ヘッドピン３の尖頭３ｃが頭部Ａにより強い力で接する。
【００２６】
ヘッドピン３は、枢軸７の近傍における分割片６ａ，６ｂの内周面と支持部材２のガイド孔９との間でガタツキを生じないように保持される。
【００２７】
かくて、患者の頭部Ａは図２に示すように全ヘッドピン３によって支持部材２内の定位置に固定される。
【００２８】
＜実施の形態２＞
図６に示すように、この実施の形態２では、実施の形態１と同様に、雌ネジ５を有する筒体１２が周方向で複数個に分割され、支持部材２の収納室８内に収納されるが、実施の形態１とは異なり、筒体１２を拡縮させる手段として、各分割片１２ａ，１２ｂの外面にはそれぞれ突起１３が設けられ、収納室８内には各突起１３が嵌まり込むガイド溝１４が設けられる。
【００２９】
各突起１３は各分割片１２ａ，１２ｂの側面から支持部材２の内周面に向かって傾斜するように突出し、ガイド溝１４も同様に傾斜する。ガイド溝１４は支持部材２の収納室８内に固定されるガイド片１４ａにより形成される。収納室８は実施の形態１の場合と同様に蓋板１１により閉じられ、この蓋板１１を支持部材２に固定するための固定ネジ１５によりガイド片１４ａも支持部材２に固定される。収納室８の内壁面と突起１３との間には、分割片１２ａ，１２ｂを常時縮径方向に付勢する弾性体として圧縮コイルバネ１０が設けられる。
【００３０】
収納室８は、支持部材２の一端面に開口し、他端面と内外周面とが閉止部２ｂ，２ａ，２ｃにより閉じられる。そして、支持部材２の内外周面の閉止部２ａ，２ｃにはそれぞれヘッドピン３を案内するガイド孔９ａ，９ｂが穿設される。また、ガイド片１４ａ等を固定する固定ネジ１５は支持部材２の閉止部２ｂに螺合する。
【００３１】
次に、この頭部固定装置の作用について説明する。
【００３２】
当初支持部材２内における各筒体１２は、図７（Ａ）に示すように、圧縮コイルバネ１０の付勢力とガイド溝１４の案内作用とにより縮径状態にある。
【００３３】
そこで、図７（Ｂ）に示すように、各ヘッドピン３を支持部材２の外周面側から各筒体１２内に挿入すると、雌雄ネジ５，３ａのネジ山同士が当たることにより分割片１２ａ，１２ｂが半径方向の外側へと押しやられ筒体１２が拡径する。分割片１２ａ，１２ｂの突起１３とガイド溝１４はヘッドピン３を挿入する方向に向かって傾斜しているので、ヘッドピン３の押し込みによって分割片１２ａ，１２ｂは半径方向外側に向かって円滑に移動し、筒体１２が全体として滑らかに拡径する。
【００３４】
ヘッドピン３は回転操作によることなく筒体１２の雌ネジ５内を直進しその先端が患者の頭部Ａに当たったところで停止し、停止と同時に弾性体である圧縮コイルバネ１０の付勢力により筒体１２が縮径して雌雄ネジ５，３ａ同士が噛み合う。
【００３５】
続いて、図７（Ｃ）に示すように、各ヘッドピン３を回すと各ヘッドピン３が患者の頭部Ａ側に螺進し、ヘッドピン３の尖端３ｃが頭部Ａにより強い力で接する。
【００３６】
ヘッドピン３は、支持部材２の内外周におけるガイド孔９ａ，９ｂ間でガタツキを生じないように保持される。
【００３７】
かくて、患者の頭部Ａは図２に示すように全ヘッドピン３によって支持部材２上の定位置に固定される。
【図面の簡単な説明】
【００３８】
【図１】本発明の実施の形態１に係る頭部固定装置の使用状態を示す正面図である。
【図２】図１中、ＩＩ方向に見た側面図である。
【図３】図２に示すヘッドピンの拡大図である。
【図４】（Ａ）は図２中、要部の拡大図、（Ｂ）は（Ａ）中Ｂ方向矢視図である。
【図５】本発明の実施の形態１に係る頭部固定装置の作用を示す図であり、（Ａ）はヘッドピン挿入前、（Ｂ）はヘッドピン挿入開始時、（Ｃ）はヘッドピン挿入後を夫々示す。
【図６】（Ａ）は本発明の実施の形態２に係る頭部固定装置の要部拡大図、（Ｂ）は（Ａ）中Ｂ方向矢視図である。
【図７】本発明の実施の形態２に係る頭部固定装置の作用を示す図であり、（Ａ）はヘッドピン挿入前、（Ｂ）はヘッドピン挿入開始時、（Ｃ）はヘッドピン挿入後を夫々示す。
【符号の説明】
【００３９】
Ａ…患者の頭部
２…支持部材
３…ヘッドピン
３ａ…雄ネジ
５…雌ネジ
６，１２…筒体
６ａ，６ｂ，１２ａ，１２ｂ…分割片
７…枢軸
１０…圧縮コイルバネ
１３…突起
１４…ガイド溝
【図１】
2005342335.tif 000003
【図２】
2005342335.tif 000004
【図３】
2005342335.tif 000005
【図４】
2005342335.tif 000006
【図５】
2005342335.tif 000007
【図６】
2005342335.tif 000008
【図７】
2005342335.tif 000009